(57)【特許請求の範囲】
【請求項１】
それぞれ伸縮性の布シートより成るサポーター主体および該サポーター主体に重合した締付け補助体とで成り、サポーター主体は、装着時に膝裏およびその両側の靭帯部を被う広さとした膝裏覆い部の両側に、大腿部に巻付けて先端部を互いに係離自在に止着する上側バンド部と、すね部に巻付けて先端部を互いに係離自在に止着する下側バンド部をそれぞれ設けて成り、
前記締付け補助体は、前記サポーター主体の前記膝裏覆い部に重なる当該締付け補助体の横方向中間部分をその下端部から上方に向かって切欠して当該締付け補助体の横方向中間部分に切欠部を設ける一方、その切欠部の上方となる当該締付け補助体の横方向中間部分における上端部は残す一方、当該締付け補助体の横方向における両端を前記上側バンド部に止着した横長帯状部と、該横長帯状部の長手方向に沿う下端に突出させて、先端を前記膝裏覆い部の下端に止着し、しかも、装着時に膝裏を介して互いに距離を置く一対の山形状の接続部とで構成すると共に、前記横長帯状部の一端を止着した一方の前記上側バンド部と前記一方の下側バンド部には、前記他方の上側バンド部と前記他方の下側バンド部に添設した面状ファスナーの雌材を接離する雄材を添設した、膝用サポーター。
【発明の詳細な説明】
【技術分野】
【０００１】
本発明は、安定した歩行動作を期待するために膝部に巻付けて用いる膝用サポータに関するものである。
【背景技術】
【０００２】
全体として伸縮自在な素材で構成し、中央部を膝頭に当て、該中央部の上端に連設した上側バンド部を大腿部に巻付け、下端に連設した下側バンド部をふくらはぎ部に巻付けて、膝部に装着するようにした構造のものがある（例えば、特許文献１）。
【先行技術文献】
【特許文献】
【０００３】
【特許文献１】特開２００２−６５７１１号公報
【発明の概要】
【発明が解決しようとする課題】
【０００４】
前記従来構造のものは、膝屈折時に、該膝に圧接するように、上下のバンド部を脚部に巻付けているだけであるので、期待するほどの歩行動作の安定性は得られない。
【０００５】
本発明は、従来構造のもののように膝の屈曲動作を補助するだけでなく、靭帯を圧追して前記屈曲動作時のねじれを防いで、より安定した歩行動作の得られる膝用サポーターを提供することを目的として創案したものである。
【課題を解決するための手段】
【０００６】
それぞれ伸縮性の布シートより成るサポーター主体および該サポーター主体に重合した締付け補助体とで成り、サポーター主体は、装着時に膝裏およびその両側の靭帯部を被う広さとした膝裏覆い部の両側に、大腿部に巻付けて先端部を互いに係離自在に止着する上側バンド部と、すね部に巻付けて先端部を互いに係離自在に止着する下側バンド部をそれぞれ設けて成り、前記締付け補助体は、前記サポーター主体の前記膝裏覆い部に重なる当該締付け補助体の横方向中間部分をその下端部から上方に向かって切欠して当該締付け補助体の横方向中間部分に切欠部を設ける一方、その切欠部の上方となる当該締付け補助体の横方向中間部分における上端部は残す一方、当該締付け補助体の横方向における両端を前記上側バンド部に止着した横長帯状部と、該横長帯状部の長手方向に沿う下端に突出させて、先端を前記膝裏覆い部の下端に止着し、しかも、装着時に膝裏を介して互いに距離を置く一対の山形状の接続部とで構成すると共に、前記横長帯状部の一端を止着した一方の前記上側バンド部と前記一方の下側バンド部には、前記他方の上側バンド部と前記他方の下側バンド部に添設した面状ファスナーの雌材を接離する雄材を添設した構成としたものである。
【発明の効果】
【０００７】
本発明によれば、膝裏を覆って膝頭を取り囲むようにして膝部分に装着するものであるから、歩行の助けとなることは勿論、靭帯部表面に接してこれを押圧するものであるから、膝のねじれを防ぎ、歩行動作を尚一層円滑にさせ、殊に、サポーター主体の伸縮性を利用した緊張（テンション）方向と締付け補助体の伸縮性を利用した緊張方向が異なって靭帯部表面に作用するから立体的な圧追を行え、従って、長さの違う内側側副靭帯と外側側副靭帯のバランスを整えるように圧迫固定が可能となり、ひざのぐらつきを押さえ、痛みの軽減、発症や進行を出来るだけ遅らせる効果が期待できる。また、サポーター主体の膝裏覆い部に重なる当該締付け補助体の横方向中間部分をその下端部から上方に向かって切欠して当該締付け補助体の横方向中間部分に切欠部を設ける一方、その切欠部の上方となる当該締付け補助体の横方向中間部分における上端部は残すように構成したため、この膝用サポーターを膝に装着した際には、当該締付け補助体の横方向中間部分の切欠部が膝裏に回り、膝裏ではサポーター主体と締付け補助体の重なり部分が減少するので、膝を曲げた際の膝裏における違和感を低減することができる。
【図面の簡単な説明】
【０００８】
【図１】使用状態を示す斜視図。
【図２】裏面図。
【図３】表面図。
【図４】サポーター主体の裏面図。
【図５】締付け補助体の裏面図。
【発明を実施するための形態】
【０００９】
図面は、本発明に係る膝用サポーターの一実施態様を示し、膝用サポーターＡは、伸縮性の有る布地シート、例えば、ゴムを主材とする編み地（メッシュゴム）で成るサポーター主体１と締付け補助体２を重ね合わせて互いに止着して構成する。
【００１０】
サポーター主体１は、装着時に膝裏およびその両側の靭帯部に重ね合わせる膝裏覆い部１０１の両側に、上下一対の、先端が半円状のバンド部１０２，１０２´．１０３，１０３´を互いに角度を持たせて突設して構成し、一側のバンド部１０２，１０３側の一半と他側のバンド部１０２´，１０３´側の他半とを等分する仮想分割線ａを対称軸とするほぼ線対称形の、やや横長バツ印（或いはＸ字）状の伸縮性の有る布地シートで成るものである。
【００１１】
前記締付け補助体２は、長手方向の左右両端を前記バンド部１０２，１０２´．１０３，１０３´の先端の半円状と同様の半円状とした横長帯状部２０１と、該横長帯状部２０１の長手方向に沿う下端に突出させた一対の、正面視山形状の接続部２０２，２０２とで成り、接続部２０２，２０２間の中央を通る仮想線を対称軸とする線対称形の伸縮性の有る布地シートで構成する。
【００１２】
そして、膝用サポーターＡは、周端に縁取り３を施したサポーター主体１の片面に、同じく縁取り３を施した締付け補助体２を重ね合わせ、中間部を前記膝裏覆い部１０１に止着（縫着）しないで、サポーター主体１の上バンド部１０２，１０２´と該バンド部１０２，１０２´に対応する、締付け補助体２の横長帯状部２０１の端部２０１ａ，２０１ａ´を止着し、また、サポーター主体１の下端と前記接続部２０２の先端を、該装着時に膝裏を介して互いに距離を置いて（装着時に一方の接続部２０２は内側側副靭帯側に、他方の接続部２０２は外側側副靭帯側に存するように）、止着してサポーター本体Ａａを構成し、このサポーター本体Ａａの、一方の上バンド部１０２に重ね合わせた締付け補助体２の横長帯状部２０１の一端部２０１ａを重ね合わせた部分と、前記一方の下側バンド部１０３には面状ファスナー５の雄材５Ａを設け、該雄材５Ａが接離する雌材５Ｂを、他方の上バンド部１０２´に重ね合わせた締付け補助体２の横長帯状部２０１の他端部２０１ａ´を重ね合わせた部分と他方の下側バンド部１０３´に設け、雌雄の面状ファスナー材を取付けた前記バンド部１０２，１０２´．１０３，１０３´をそれぞれ上側雄バンド部７Ａ、上側雌バンド部７Ａ´、下側雄バンド部７Ｂ、下側雌バンド部７Ｂ´として利用して、上側のバンド部７Ａ，７Ａ´は大腿部に巻付けて面状ファスナー５を用いて互いに接続し、下側のバンド部７Ｂ，７Ｂ´はすね部に巻付けて同様に面状ファスナー５を用いて互いに接続して膝用サポーターとして適用するのである。
【００１３】
なお、面状ファスナー５の雌材５Ｂは、該雌材５Ｂを縫着した、締付け補助体２の前記他方の一端部２０１ａ´又はサポーター主体１の一方の下バンド部１０３´の表面を覆う広さを利用してサポーターＡの締付け長さの調節を行えるようにしてあり、雌材５Ｂを縫着した部分（サポーター主体１の一方の上側バンド部１０２´とこれに重なり合う締付け補助体２の一方の端部２０１ａ´並びにサポーター主体１の他方の下側バンド部１０３´）は、該雌材５Ｂによりその伸縮は規制されている。
【００１４】
また、サポーター主体１および締付け補助体２は無数の透孔８，…を備えているが、これは通気用の透孔で、該透孔８，…の存在によって蒸れを可能な限り回避できる。
【００１５】
そして、実施形態の膝用サポーターＡは、締付け補助体２を内側に、サポーター主体１を外側にそれぞれ配するようにして、締付け補助体２の横長帯状部２０１並びに接続部２０２とこれらに重なり合うサポーター主体１の膝裏覆い部１０１を内外の側副靭帯とこれらの間の膝裏に当て、上側のバンド部７Ａ，７Ａ´を大腿部に巻付けて面状ファスナー５を用いて互いに接続し、下側のバンド部７Ｂ，７Ｂ´はすね部に巻付けて同様に面状ファスナー５を用いて互いに接続して用いるのである。
【符号の説明】
【００１６】
１          サポーター主体
２          締付け補助体
５Ａ        面状ファスナー雄材
５Ｂ        面状ファスナー雌材
１０１      膝裏覆い部
１０２，１０２´      上側バンド部
１０３，１０３´      下側バンド部
２０１      横長帯状部
２０２      山形状の接続部
【図１】
0005775311.tif 000002
【図２】
0005775311.tif 000003
【図３】
0005775311.tif 000004
【図４】
0005775311.tif 000005
【図５】
0005775311.tif 000006